(57)【要約】【課題】  生産性向上、コスト低減化、外観簡素化を図った中骨取付け構造を提供する。【解決手段】  中骨（６Ｎ）の長手方向両端部を中骨の長軸に対して直角に切断し、その両端部に中骨固定用ブラケット（１３）を予め嵌合固定し、その中骨固定用ブラケットは、中骨の長手方向に突出する弾性突起（１８）を有し、その弾性突起は垂木４又は妻垂木５の所定位置に設けてある孔（４ａ，４ａ又は４ａ，５ａ）に弾力的に嵌入されて係止されるようにした。【選択図】      図４
2005314994.tif 000002
【特許請求の範囲】
【請求項１】
中骨を中空材で形成するとともに、その長手方向両端部を長軸に対して直角に切断し、その両端部の中空部に中骨固定用ブラケットを予め嵌合固定し、その中骨固定用ブラケットは、前記中骨の長手方向に突出して弾性を有する突起を有し、その突起は垂木又は妻垂木の所定位置に設けてある孔に弾力的に嵌入されて係止されるようにしたことを特徴とする簡易屋根の中骨の取付構造。
【請求項２】
中骨の低面から中骨固定用ブラケットの突起までの距離と、垂木又は妻垂木の前記中骨の長手方向端部を載せるための突縁から前記突起を嵌入させるための孔までの距離を等しくしたことを特徴とする請求項１に記載の簡易屋根の中骨の取付構造。
【請求項３】
中骨固定用ブラケットに、その下端部から両側に延出する脚部を設け、その脚部を垂木又は妻垂木に形成した小突縁に着座させることにより、中骨の軸芯回りの回転を阻止するようにしたことを特徴とする請求項１又は２に記載の簡易屋根の中骨の取付構造。
【発明の詳細な説明】
【技術分野】
【０００１】
本発明は、簡易屋根の中骨の取付構造、さらに詳しくは、テラス屋根などの簡易屋根の中骨を垂木と垂木の間及び垂木と妻垂木の間に取付るための構造に関する。
【背景技術】
【０００２】
図１は一般的なテラス屋根の斜視図である。図１に示すように、テラス屋根などの簡易屋根Ｒは、間隔をおいて立設された支柱１，１の上端部に掛け渡した桁２と平行に垂木掛け３を設け、その桁２と垂木掛け３の間に間隔をおいて複数の垂木４と両側の妻垂木５を結合し、隣接する垂木の間及び垂木と妻垂木の間にそれぞれ中骨６を取付けて屋根組みを構成し、その屋根組みの垂木掛けと桁の間であって、かつ垂木と垂木の間又は垂木と妻垂木の間にそれぞれアクリル樹脂板などの屋根材７を嵌合し、垂木カバー８により固定して構成されている。
【発明の開示】
【発明が解決しようとする課題】
【０００３】
中骨６を取付けた後に屋根材７を取付ける場合は、屋根材を屋根組みの上側から装着しなければならないので、作業に困難が伴うため作業能率が低く、とくにバルコニーに設けられる屋根の場合は、高所のために屋根材取付けに危険が伴う。そこで作業能率の向上と高所作業の危険を回避するため、中骨の取付け前に屋根材を屋根組みの下側から取付けることを可能にし、屋根材取付け後に中骨を屋根材の下側から取付けるように、種々工夫改善されてきた。
【０００４】
しかしながら、従来の簡易屋根においては、図８に示すように、中骨６の長手方向端部を垂木４又は妻垂木５の突縁４ａ，５ａに載せ、その垂木又は妻垂木の突縁に設けたねじ貫通孔からねじ９を貫通し、中骨６にねじ込むことより中骨を固定している。
屋根の長さは様々であるから、その時々の中骨の両端部にねじ貫通孔を加工する必要があり、また、中骨のねじ貫通孔と垂木又は妻垂木のねじ込み孔の位置が完全に合致するように設ける必要があるから、生産性が制約され、加工に精度が要求され、製造コスト上昇の原因になるという問題がある。
【０００５】
また、図９に示すように、垂木４又は妻垂木５の所定位置に予めブラケット１０を取付けておくとともに、中骨６の両端部にそのブラケットの嵌合が可能な切欠部６ａを形成しておき、屋根材の取付け後に中骨６を垂木間又は垂木と妻垂木の間を摺動して切欠部６ａにブラケット１０を嵌合するようにしたものが知られている。
この先行技術は、ブラケットを予め所定の位置に固定することは容易にできるが、屋根の長さに対応するそれぞれの中骨に所定の切欠部を加工する必要、ブラケット取付けと切欠部への嵌合の必要があるので、先の先行技術と同様の生産性、製造コスト、現場作業上の問題がある。また、ブラケット及び切欠部が露見されるため、外観上の問題もある。
【０００６】
本発明は、上記の点に鑑みてなされたものであり、その課題は、中骨に対する加工を不要にし、しかも簡単に所定位置に固定することができるようにして、生産性の向上、コスト低減化、外観簡素化を図った中骨取付け構造を提供することにある。
【課題を解決するための手段】
【０００７】
上記課題を解決するため、本発明は、中骨を中空材で形成するとともに、その長手方向両端部を長軸に対して直角に切断し、その両端部の中空部に中骨固定用ブラケットを予め嵌合固定し、その中骨固定用ブラケットは、中骨の長手方向に突出して弾性を有する突起を有し、その突起は垂木又は妻垂木の所定位置に設けてある孔に弾力的に嵌入されて係止されるようにしたことを特徴としている。
上記構成により、中骨を対向し合う垂木又は垂木と妻垂木の間にこれらに直角な状態で嵌合し、その中骨を垂木又は妻垂木の長手方向と平行な方向又は直角な方向に摺動して、垂木又は妻垂木の対向面に胆力的に押圧接触している中骨固定用ブラケット突起を垂木又は妻垂木の所定位置に設けてある孔に合致させると、突起がその孔に弾力的に嵌入して、中骨がその位置に固定される。つまり、中骨の両端部を垂木又は垂木と妻垂木の対向面に沿って摺動することにより、簡単に中骨を所定位置に固定することができる。
【０００８】
中骨の低面から中骨固定用ブラケットの突起までの距離と、垂木又は妻垂木の前記中骨の長手方向端部を載せるための突縁から前記突起を嵌入させるための孔までの距離を等しくしてあることが望ましい。
上記構成により、中骨を突縁に載置されるまで下降させて突起を孔に嵌入させ、又は突縁に載置した中骨を突縁に沿って摺動して突起を孔に嵌入させると、中骨が固定される。
【０００９】
好ましい実施の態様においては、中骨固定用ブラケットに、その下端部から両側に延出する脚部を設け、その脚部を垂木又は妻垂木に形成した小突縁に着座させることにより、中骨の長軸回りの回転を阻止するようにしたことを特徴としている。
上記構成により、中骨固定用ブラケットの突起と両脚部の３点支持により、中骨の回転が阻止される。
【発明の効果】
【００１０】
請求項１の発明によれば、垂木又は妻垂木に対しては所定位置に孔を設けること、中骨に関してはその長さの大小に関わりなく、単に中骨の両端部をその長軸に対して直角に切断するだけで済み、他の加工を必要としないから、生産性が向上する。また、中骨固定用ブラケットは単に中骨に嵌合して結合され、中骨の両端部を垂木又は妻垂木の長手方向と平行に、又は長手方向に対して直角方向に摺動すると、突起が孔に嵌入して固定されるので、中骨の垂木又は妻垂木に対する固定が簡単にできる。従って、製造コスト及び施工コストの低減が可能である。さらに、中骨固定用ブラケットと孔、すなわち取付け構造は露見されないので、外観が簡素化される。
【００１１】
請求項２の発明によれば、中骨を屋根組みの上方から取付ける場合は、中骨を突縁により停止されるまで下降することにより突起を容易に孔に嵌入させることができ、屋根組みに屋根材を固定した後は、中骨を突縁に載置し、その突縁に沿って摺動させることにより、突起を孔に容易確実に嵌入することができるから、中骨の取付作業が容易である。
【００１２】
請求項３の発明によれば、中骨固定用ブラケットの弾性突起の孔に対する嵌入により所定位置に固定する構造において、ブラケットの突起と脚部の３点支持により、中骨の回転が確実に阻止される。
【発明を実施するための最良の形態】
【００１３】
次に、本発明の実施の形態について、図面に基づいて説明する。
図１は一般的なテラス屋根の斜視図、図２は図１のＸ−Ｘ線に対応する断面図であり、本発明に係る中骨の取付構造を用いて中骨が取付けられた状態を示している。図３は中骨とこれに取付けられる中骨固定用ブラケットの斜視図、図４は図２の垂木と、これに対して固定されている中骨の一端部を示す断面図、図５は図４のＹ−Ｙ線に沿った断面図、図６は中骨を垂木又は妻垂木に固定する際の移動方向の一例を示す斜視図、図７は中骨を垂木又は妻垂木に固定する際の移動方向の他例を示す斜視図である。
【００１４】
本発明においては、図２及び図３に示すように、中骨６Ｎは角筒状に形成され、その中空部１１の上面に屋根材７の下面に当接されるクッション材を嵌合するためのあり溝１２が設けられている。そして、各中骨６Ｎは、隣合う垂木間又は垂木と妻垂木の間の距離に等しい長さを有し、その長手方向両端部が長軸に対して直角に切断されているだけであり、ほかには一切の加工がされていない。
【００１５】
中骨６Ｎの中空部１１には、その長手方向両端部に、新規な中骨固定用ブラケット（以下、単に中骨ブラケットという）１３が備えられている。中骨ブラケット１３は合成樹脂で成形され、中骨６Ｎの中空部１１に緊密に嵌合される挿入部１４と、その挿入部の正面側に形成された正面板１５とを有し、正面板の中央に形成された孔１６の正面板の上部から下方に延びる又は下部から上方に延びる板状の支持部１７が設けられ、その支持部の自由端部に挿入部１４と反対方向に突出する突起１８が設けられている。従って、突起１８は正面板１５に対して弾性を有している。突起１８は、好ましくは、後述される垂木又は妻垂木の孔に対する容易かつ緊密な嵌入を可能にするため、頭切円錐状に形成されている。正面板１５の周辺部は挿入部１４よりも外側に延出されて位置決め部を構成しており、挿入部１４を中骨６Ｎの中空部１１に嵌合した際にその位置決め部の背面が中骨６Ｎの端面に当接するようになっている。
こうして、中骨ブラケット１３は、挿入部１４を正面板１５の背面が中骨の端面に止められるまで中空部１１に緊密に嵌合することにより、簡単に中骨６Ｎに取付けることができる。
【００１６】
好ましい実施の態様として、中骨ブラケット１３の正面板１５の下端部は両側に延出されて、脚部１９を構成している。そして、その脚部は、中骨ブラケット１３を中骨６Ｎの端部に挿入して固定した場合に中骨６Ｎの両側に張り出すように形成されている。
【００１７】
本発明においては、他の重要な構成要素として、垂木４及び妻垂木５の互いに対向する壁面の所定位置に孔４ｈ，５ｈ（妻垂木の孔５ｈは図示されていない）が形成されている。この孔は、中骨６Ｎに固定された中骨ブラケット１３の突起１８を嵌入するためのものであり、中骨６Ｎの長手方向端部を垂木４又は妻垂木５の下部に形成してある突縁４ａ，５ａに載置した場合に、突起１８の高さと合致する位置に設けられている。すなわち、中骨の低面から中骨固定用ブラケットの突起までの距離と、垂木又は妻垂木の前記中骨の長手方向端部を載せるための突縁から前記突起を嵌入させるための孔までの距離を等しくしてある。
【００１８】
また、好ましい実施の態様として、中骨ブラケット１３に脚部１９が設けられた場合は、垂木４と垂木及び垂木と妻垂木５の互いに対向する壁面の下部に、好ましくは突縁４ａ，５ａの上端部と等しい高さにおいて脚部１９を受け止めるための小突縁４ｂ，５ｂが形成されている。
【００１９】
上記のように中骨６Ｎの両端部に中骨ブラケット１３を取付け、垂木４及び妻垂木５の対向壁面の所定位置に孔４ｈ，５ｈを設けて構成される中骨取付け構造を用いて中骨６Ｎを屋根組みに取付けるには、図６に例示する方法と、図７に例示する方法の２通りのいずれかを採用することができる。
【００２０】
図６は、屋根組みを構成している垂木４とこれに隣接する垂木又は妻垂木の間に、中骨ブラケット１３を取付けた中骨６Ｎを、これら垂木又は妻垂木の上方からその長軸に対して直角な状態で下方に移動して、両端部の中骨ブラケットの突起１８を隣合っている垂木４と垂木又は垂木と妻垂木の孔（４ｈ，４ｈ又は４ｈ，５ｈ）に嵌入させ、かつ、同時に中骨６Ｎの長手方向端部の底部を垂木４又は妻垂木の突縁（４ａ，４ａ又４ａ，５ａ）に載置することにより、中骨を固定する例を示している。
【００２１】
中骨ブラケットに脚部１９が設けてある場合は、突起１８が孔に嵌入された時に、その脚部１９は垂木４又は妻垂木５の小突縁４ｂ，５ｂに着座する。これにより、中骨６Ｎは、孔４ｈ（又は５ｈ）に嵌入している突起１８と小突縁４ｂ（又は５ｂ）に載置されている両脚部１９の３点支持により、垂木又は妻垂木に対する中骨の軸芯回りの回転が防止される。
【００２２】
上記のように中骨６Ｎを垂木又は妻垂木の上方から移動する取付け方法は、屋根組みの上側からの屋根材の取付けに危険が伴わず、中骨取付け後に屋根材の取付けが可能な屋根に適用することができる。
【００２３】
これに対して、屋根材の取付け後に中骨の取付けを行う場合は、図７に示すように、屋根組みを構成している垂木４とこれに隣接する垂木又は妻垂木の間に、中骨ブラケット１３を取付けた中骨６Ｎを垂木又は妻垂木の長軸に対して直角な状態で、中骨の長手方向両端部をそれらの垂木又は妻垂木の突縁（４ａ，４ａ又は４ａ，５ａ）に載せ、その中骨６Ｎを垂木又は妻垂木の長手方向と平行な方向に移動して、両端部の中骨ブラケットの突起１８を隣合っている垂木４と垂木又は垂木と妻垂木の孔（４ｈ，４ｈ又は４ｈ，５ｈ）に嵌入させることにより、中骨を固定する。
【００２４】
中骨ブラケットに脚部１９が設けてある場合は、中骨を垂木又は妻垂木の突縁（４ａ，４ａ又は４ａ，５ａ）に載せた時に脚部１９は垂木４又は妻垂木５の小突縁４ｂ，５ｂに着座する。そのため、中骨の垂木又は妻垂木の長手方向と平行な方向の移動の際に、また、移動により突起１８が孔（４ｈ，４ｈ又は４ｈ，５ｈ）に嵌入された後も、中骨６Ｎの垂木又は妻垂木に対する中骨の軸芯回りの回転が防止される。
【００２５】
上述のように、本発明による中骨取付け構造を用いれば、屋根材取付け前でも、また、屋根材取付け後でも、中骨を屋根組みの所定位置に簡単に取付けることができる。そして、中骨取付け後は、中骨ブラケットは薄い正面板の一部（周辺）が中骨の端部と垂木又は妻垂木の壁面の間に存在するのみであるから、中骨と垂木又は妻垂木の結合部の外観が損なれることはない。
【図面の簡単な説明】
【００２６】
【図１】一般的なテラス屋根の斜視図。
【図２】本発明に係る中骨の取付構造を用いて中骨が取付けられた状態を示す、図１のＸ−Ｘ線に対応する断面図。
【図３】中骨とこれに取付けられる中骨固定用ブラケットの斜視図。
【図４】図２の垂木と、これに対して固定されている中骨の一端部を示す断面図。
【図５】図４のＹ−Ｙ線に沿った断面図。
【図６】中骨の垂木又は妻垂木に対する取付け方向の一例を示す斜視図。
【図７】中骨の垂木又は妻垂木に対する取付け方向の他例を示す斜視図。
【図８】従来の中骨の取付け構造の一例を示す要部の断面図。
【図９】従来の中骨の取付け構造の他例を示す要部の斜視図。
【符号の説明】
【００２７】
４        垂木
４ａ      突縁
４ｂ      小突縁
４ｈ      孔
５        妻垂木
５ａ      突縁
５ｂ      小突縁
６，６Ｎ  中骨
７        屋根材
１３      中骨ブラケット（中骨固定用ブラケット）
１４      挿入部
１５      正面板
１８      突起
１９      脚部
【図１】
2005314994.tif 000003
【図２】
2005314994.tif 000004
【図３】
2005314994.tif 000005
【図４】
2005314994.tif 000006
【図５】
2005314994.tif 000007
【図６】
2005314994.tif 000008
【図７】
2005314994.tif 000009
【図８】
2005314994.tif 000010
【図９】
2005314994.tif 000011